(57)【要約】【課題】集約機能を利用して製本を行う場合でも、見栄えの良い冊子を製本することができるように原稿画像の面付けを行う。【解決手段】２つの同一の原稿画像を１枚の印刷用紙に面付けする２リピート機能を利用して製本する際に、操作部３０を介してユーザにより指定された綴じ位置に応じて、画像制御部１１では、前記指定された綴じ位置が左綴じである場合には断裁位置が各原稿画像の右側となるように、前記指定された綴じ位置が右綴じである場合には断裁位置が各原稿画像の左側となるように、前記指定された綴じ位置が上綴じである場合には断裁位置が各原稿画像の下側となるように、前記指定された綴じ位置が下綴じである場合には断裁位置が各原稿画像の上側となるように、２つの同一の原稿画像を回転配置した印刷データが作成される。【選択図】          図２
2005020587.tif 000002
【特許請求の範囲】
【請求項１】
同一内容の原稿画像を同一の印刷用紙に複数配置する面付け機能を備えた画像形成装置において、
複数の原稿画像からなる画像群について、同一内容の２つの原稿画像を同一の印刷用紙に配置して印刷を行い、印刷された印刷用紙を各原稿画像の画像間において断裁し、断裁分離された印刷用紙を各原稿画像群単位で原稿画像の上下左右の何れかの位置の端部で綴じることにより、同一画像構成の冊子を２冊製本する際に、製本時の原稿画像に対する綴じ位置を指定するための操作部と、
前記指定された綴じ位置が、前記印刷用紙の断裁位置に対向する端部に位置するように、同一内容の２つの原稿画像を配置した印刷データを作成する画像制御部と、
を備えることを特徴とする画像形成装置。
【請求項２】
異なる内容の原稿画像を同一の印刷用紙に複数配置する面付け機能を備えた画像形成装置において、
複数の原稿画像からなる画像群について、異なる内容の２つの原稿画像を同一の印刷用紙に配置して印刷を行い、印刷された印刷用紙を各原稿画像の画像間において断裁し、断裁分離された印刷用紙を各原稿画像群単位で重ね合わせて原稿画像の上下左右の何れかの位置の端部で綴じることにより、１冊の冊子を製本する際に、
印刷する総原稿ページ数をＮ、配置する原稿ページをＡとして、
総原稿ページ数Ｎが偶数の場合は、印刷用紙の一方の面にＡページ目の原稿画像を配置し、他方の面に（Ｎ／２＋Ａ）ページ目の原稿画像を配置した印刷データを作成し、
総原稿ページ数Ｎが奇数の場合は、印刷用紙の一方の面にＡページ目の原稿画像を配置し、他方の面に｛（Ｎ＋１）／２＋Ａ｝ページ目の原稿画像を配置した印刷データを作成する画像制御部を備えることを特徴とする画像形成装置。
【請求項３】
製本時の綴じ位置を指定するための操作部を備え、
前記画像制御部は、前記指定された綴じ位置が、前記印刷用紙の断裁位置に対向する端部に位置するように、異なる内容の２つの原稿画像を同一の印刷用紙に配置した印刷データを作成することを特徴とする請求項２に記載の画像形成装置。
【請求項４】
前記操作部により、綴じ位置として原稿画像の左側が指定されると、
前記画像制御部は、印刷用紙の断裁位置が各原稿画像の右側となるように、配置する一方の原稿画像を他方の原稿画像の配置方向に対して反転させた印刷データを作成することを特徴とする請求項１又は３に記載の画像形成装置。
【請求項５】
前記操作部により、綴じ部の位置として原稿画像の右側が指定されると、
前記画像制御部は、印刷用紙の断裁位置が各原稿画像の左側となるように、配置する一方の原稿画像を他方の原稿画像の配置方向に対して反転させた印刷データを作成することを特徴とする請求項１又は３に記載の画像形成装置。
【請求項６】
前記操作部により、綴じ部の位置として原稿画像の上側が指定されると、
前記画像制御部は、印刷用紙の断裁位置が各原稿画像の下側となるように、配置する一方の原稿画像を他方の原稿画像の配置方向に対して反転させた印刷データを作成することを特徴とする請求項１又は３に記載の画像形成装置。
【請求項７】
前記操作部により、綴じ部の位置として原稿画像の下側が指定されると、
前記画像制御部は、印刷用紙の断裁位置が各原稿画像の上側となるように、配置する一方の原稿画像を他方の原稿画像の配置方向に対して反転させた印刷データを作成することを特徴とする請求項１又は３に記載の画像形成装置。
【発明の詳細な説明】
【０００１】
【発明の属する技術分野】
本発明は、画像データに基づいて印刷出力を行うファクシミリ装置、プリンタ、複写機又はこれらの複合機（以下、画像形成装置という。）に関する。
【０００２】
【従来の技術】
印刷物の製本を行う際には、１枚の印刷用紙の表、裏に複数ページ分の原稿画像を面付けして印刷し、その印刷物を折り曲げたり断裁したりした後、糊付けして製本することが行われている。そして従来から、製本後に各原稿画像がその原稿ページ順に配置されるように、複数ページ分の原稿画像を面付けする方法がいくつか提案されている。例えば、製本された際に原稿ページ順となるように印刷用紙の表版、裏版に対して画像の配置が設定された配置パターン情報を予め備えておき、この配置パターン情報に基づいて、複数ページからなる印刷対象の画像を配置する方法（例えば、特許文献１参照）もその一つである。
【０００３】
一方、２つの異なる内容の原稿画像を１枚の印刷用紙に配置する２ｉｎ１機能や、２つの同一内容の原稿画像を１枚の印刷用紙に配置する２リピート機能といった集約機能を備えた画像形成装置も開発されている。
【０００４】
【特許文献１】
特開２００１−８０１５１号公報
【０００５】
【発明が解決しようとする課題】
しかしながら、図１２に示すように、２リピート機能を利用して、複数ページの原稿画像からなる画像群について、同一ページの原稿画像を２つづつ同一印刷用紙に印刷し、その印刷用紙を各画像間で断裁し、断裁分離された印刷用紙を各原稿画像単位で綴じることにより、同一画像構成の冊子を２冊製本する場合、左綴じで製本するよう指示されると、従来の２リピート機能では、２つの原稿画像が上下同一方向で配置されるため、製本時に各原稿画像の左側で綴じられると、左ページ束で綴じられた冊子では断裁部が製本時の見開き側の端部となるが、右ページ束で綴じられた冊子では断裁部が綴じ部となるので、２つの冊子は見栄えが異なってくる。
【０００６】
これは、画像形成装置において印刷出力される際に、印刷物の端部が必ずしも一様にそろった状態で出力されるわけではないためである。断裁部の方は断裁された際に各ページの端部がそろっているため、左ページ束のように断裁部と対向する位置で綴じられた場合は、製本後の見開き側の端部が一様にそろった状態となるが、右ページ束のように断裁部が綴じ処理されてしまった場合、印刷用紙の端部が製本後の見開き側の端部となるため、各ページが飛び出していたり内部に入り込んだりしていて見栄えが悪い冊子となってしまう。
【０００７】
また、図１３に示すように、２ｉｎ１機能を利用して、複数ページ分の原稿画像からなる画像群について、異なる内容の原稿画像を２ページ分づつ同一印刷用紙に印刷し、その印刷用紙を各画像間で断裁して断裁分離された一方の印刷ページ束を他方の印刷ページ束と重ねて綴じることにより、１冊の冊子を製本する場合、従来の２ｉｎ１機能では、原稿画像がその原稿ページ順に印刷用紙に順次配置されて印刷されるので、製本の際に左ページ束と右ページ束を重ね合わせても冊子のページ順が原稿ページ順と一致しない。また、奇数ページでは断裁部が製本後の見開き側の端部となるが、偶数ページでは断裁部の方が綴じ処理されるため、製本後の見開き側の端部が一様にそろわない冊子ができあがる。
【０００８】
このように、従来の面付け方法では、２ｉｎ１機能や２リピート機能等の集約機能を利用して製本を行っても見栄えの良い冊子を製本することができなかった。
【０００９】
本発明の課題は、集約機能を利用して製本を行う場合でも、見栄えの良い冊子を製本することができるように原稿画像の面付けを行うことである。
【００１０】
【課題を解決するための手段】
請求項１に記載の発明は、
同一内容の原稿画像を同一の印刷用紙に複数配置する面付け機能を備えた画像形成装置において、
複数の原稿画像からなる画像群について、同一内容の２つの原稿画像を同一の印刷用紙に配置して印刷を行い、印刷された印刷用紙を各原稿画像の画像間において断裁し、断裁分離された印刷用紙を各原稿画像群単位で原稿画像の上下左右の何れかの位置の端部で綴じることにより、同一画像構成の冊子を２冊製本する際に、製本時の原稿画像に対する綴じ位置を指定するための操作部と、
前記指定された綴じ位置が、前記印刷用紙の断裁位置に対向する端部に位置するように、同一内容の２つの原稿画像を配置した印刷データを作成する画像制御部と、
を備えることを特徴とする。
【００１１】
請求項１に記載の発明によれば、綴じ位置と断裁位置とが対向するように２つの同一内容の原稿画像が同一印刷用紙上に配置されるので、印刷後、画像間で断裁され、各原稿画像単位で綴じられて製本された際に、冊子の見開き側に断裁部が位置することとなり、見開き側の端部が整然とそろった見栄えの良い冊子を製本することが可能となる。
【００１２】
請求項２に記載の発明は、
異なる内容の原稿画像を同一の印刷用紙に複数配置する面付け機能を備えた画像形成装置において、
複数の原稿画像からなる画像群について、異なる内容の２つの原稿画像を同一の印刷用紙に配置して印刷を行い、印刷された印刷用紙を各原稿画像の画像間において断裁し、断裁分離された印刷用紙を各原稿画像群単位で重ね合わせて原稿画像の上下左右の何れかの位置の端部で綴じることにより、１冊の冊子を製本する際に、
印刷する総原稿ページ数をＮ、配置する原稿ページをＡとして、
総原稿ページ数Ｎが偶数の場合は、印刷用紙の一方の面にＡページ目の原稿画像を配置し、他方の面に（Ｎ／２＋Ａ）ページ目の原稿画像を配置した印刷データを作成し、
総原稿ページ数Ｎが奇数の場合は、印刷用紙の一方の面にＡページ目の原稿画像を配置し、他方の面に｛（Ｎ＋１）／２＋Ａ｝ページ目の原稿画像を配置した印刷データを作成する画像制御部を備えることを特徴とする。
【００１３】
請求項２に記載の発明によれば、２つの異なる内容の原稿画像を所定のページ順で同一印刷用紙上に配置するので、印刷後、各画像間で断裁し、断裁分離された各印刷ページ束を重ね合わせて１冊の冊子を製本した際に、原稿ページ順と製本後のページ順とが一致した冊子を製本することができる。
【００１４】
請求項３に記載の発明は、請求項２に記載の画像形成装置において、
製本時の綴じ位置を指定するための操作部を備え、
前記画像制御部は、前記指定された綴じ位置が、前記印刷用紙の断裁位置に対向する端部に位置するように、異なる内容の２つの原稿画像を同一の印刷用紙に配置した印刷データを作成することを特徴とする。
【００１５】
請求項３に記載の発明によれば、綴じ位置と断裁位置とが対向するように２つの２つの原稿画像が同一印刷用紙上に配置されるので、製本された際に冊子の見開き側に断裁部が位置することとなり、見開き側の端部が整然とそろった見栄えの良い冊子を製本することが可能となる。
【００１６】
請求項４に記載の発明は、請求項１又は３に記載の画像形成装置において、
前記操作部により、綴じ位置として原稿画像の左側が指定されると、
前記画像制御部は、印刷用紙の断裁位置が各原稿画像の右側となるように、配置する一方の原稿画像を他方の原稿画像の配置方向に対して反転させた印刷データを作成することを特徴とする。
【００１７】
請求項４に記載の発明によれば、原稿画像の左側が綴じ位置として指定された際に、原稿画像の右側が断裁部、つまり冊子の見開き側となるように各原稿画像を配置することができる。
【００１８】
請求項５に記載の発明は、請求項１又は３に記載の画像形成装置において、
前記操作部により、綴じ部の位置として原稿画像の右側が指定されると、
前記画像制御部は、印刷用紙の断裁位置が各原稿画像の左側となるように、配置する一方の原稿画像を他方の原稿画像の配置方向に対して反転させた印刷データを作成することを特徴とする。
【００１９】
請求項５に記載の発明によれば、原稿画像の右側が綴じ位置として指定された際に、原稿画像の左側が断裁部、つまり冊子の見開き側となるように各原稿画像を配置することができる。
【００２０】
請求項６に記載の発明は、請求項１又は３に記載の画像形成装置において、
前記操作部により、綴じ部の位置として原稿画像の上側が指定されると、
前記画像制御部は、印刷用紙の断裁位置が各原稿画像の下側となるように、配置する一方の原稿画像を他方の原稿画像の配置方向に対して反転させた印刷データを作成することを特徴とする。
【００２１】
請求項６に記載の発明によれば、原稿画像の上側が綴じ位置として指定された際に、原稿画像の下側が断裁部、つまり冊子の見開き側となるように各原稿画像を配置することができる。
【００２２】
請求項７に記載の発明は、請求項１又は３に記載の画像形成装置において、
前記操作部により、綴じ部の位置として原稿画像の下側が指定されると、
前記画像制御部は、印刷用紙の断裁位置が各原稿画像の上側となるように、配置する一方の原稿画像を他方の原稿画像の配置方向に対して反転させた印刷データを作成することを特徴とする。
【００２３】
請求項７に記載の発明によれば、原稿画像の下側が綴じ位置として指定された際に、原稿画像の上側が断裁部、つまり冊子の見開き側となるように各原稿画像を配置することができる。
【００２４】
【発明の実施の形態】
以下、図を参照して本発明の実施の形態を詳細に説明する。
【００２５】
〈第１の実施の形態〉
第１の実施の形態では、２つの同一内容の原稿画像を同一の印刷用紙に面付けする２リピート機能を利用して製本する際に、ユーザにより指定された綴じ位置に応じて、断裁部が製本後の見開き側の端部と一致するように、綴じ位置と断裁位置とが原稿画像を挟んで対向するように原稿画像を配置した印刷データを作成する例を説明する。
【００２６】
まず、構成を説明する。
図１に、第１の実施の形態における画像形成装置１の外観図を示す。
図１に示すように、画像形成装置１は、画像読取部２０、ＬＣＤ（Ｌｉｑｕｉｄ  Ｃｒｙｓｔａｌ  Ｄｉｓｐｌａｙ）３１、プリンタ部４０、給紙トレイ５１、５２を備えて構成されている。
【００２７】
また、画像形成装置１には、別体の大容量給紙トレイ５３〜５５を有する給紙ユニット５０、画像形成装置１により印刷出力された印刷物をストックするスタッカーＳが接続され、スタッカーＳにはスタッカーＳにストックされた印刷物に断裁処理、パンチ処理、ステイプル処理、中綴じ処理、製本処理等の各種後処理を施す断裁装置Ｃが接続されている。
【００２８】
次に、図２を参照して、画像形成装置１の内部構成について説明する。
図２に示すように、画像形成装置１は、本体部１ａ、プリントコントローラ１ｂから構成され、本体部１ａのＬＡＮＩＦ（Ｌｏｃａｌ  Ａｒｅａ  Ｎｅｔｗｏｒｋ  ＩｎｔｅｒＦａｃｅ）１９又はプリントコントローラ１ｂのＬＡＮＩＦ６２を介してＬＡＮ上のユーザ端末ＰＣと相互に情報の送受信が可能に接続されている。
【００２９】
まず、本体部１ａについて説明する。
本体部１ａは、制御本体部１０、画像読取部２０、操作部３０、プリンタ部４０から構成される。
【００３０】
制御本体部１０は、画像制御部１１、不揮発性メモリ１２、読取処理部１３、圧縮ＩＣ（Ｉｎｔｅｇｒａｔｅｄ  Ｃｉｒｃｕｉｔ）１４、ＤＲＡＭ制御ＩＣ１５、画像メモリ１６、伸張ＩＣ１７、書込処理部１８、ＬＡＮＩＦ１９から構成される。
【００３１】
画像制御部１１は、ＣＰＵ（Ｃｅｎｔｒａｌ  Ｐｒｏｃｅｓｓｉｎｇ  Ｕｎｉｔ）等から構成され、不揮発性メモリ１２に格納されている各種処理プログラムに従って画像形成装置１の各部の動作を集中制御する。例えば、操作部５０から入力される操作信号に従って、コピーモード、プリンタモード、スキャナモードを切り換え、不揮発性メモリ１２に記憶されている各モードに対する処理プログラムを読み出して、複写、印刷、画像データの読取等の制御を行う。
【００３２】
また、画像制御部１１は、不揮発性メモリ１２から本発明に係る２リピート印刷処理プログラムを読み出して、当該プログラムとの協働により処理動作を統括的に制御する。画像制御部１１は、２リピート印刷処理において、操作部３０を介してユーザにより指定された配置方向及び綴じ位置に応じて、製本後の見開き側が断裁部となるように原稿画像を配置した印刷データを作成する。
【００３３】
具体的には、印刷用紙に配置された２つの原稿画像の画像間で断裁処理されるので、配置方向として左右反転、綴じ位置として左綴じが指定された場合には断裁位置が各原稿画像の右側となるように印刷用紙の左面に正位置の原稿画像を配置し、印刷用紙の右面には１８０度回転した逆位置の原稿画像を配置する。また、左右反転、右綴じが指定された場合には断裁位置が各原稿画像の左側となるように、印刷用紙の左面に１８０度回転した逆位置の原稿画像を配置し、印刷用紙の右面には正位置の原稿画像を配置する。また上下反転、上綴じが指定された場合には断裁位置が各原稿画像の下側となるように、印刷用紙の上面に正位置の原稿画像を配置し、印刷用紙の下面には１８０度回転した逆位置の原稿画像を配置し、上下反転、下綴じが指定された場合には断裁位置が各原稿画像の上側となるように、印刷用紙の上面に１８０度回転した逆位置の原稿画像を配置し、印刷用紙の下面には正位置の原稿画像を配置する。
【００３４】
不揮発性メモリ１２は、印刷に係る各種処理プログラムの他、本発明に係る２リピート印刷処理プログラム及び各種プログラムで処理されたデータ等を記憶する。
【００３５】
読取処理部１３は、画像読取部２０の読取制御部２２から入力されるアナログ画像信号に、アナログ処理、シェーディング処理等の各種処理を施した後、Ａ／Ｄ変換処理を行ってデジタル画像データを生成する。生成された画像データは、圧縮ＩＣ１４に出力される。
【００３６】
圧縮ＩＣ１４は、入力された画像データに圧縮処理を施してＤＲＡＭ制御ＩＣ１５に出力する。
【００３７】
ＤＲＡＭ制御ＩＣ１５は、制御部１１からの指示に従って、圧縮ＩＣ１４による画像データの圧縮処理及び伸張ＩＣ１７による圧縮画像データの伸張処理を制御するとともに、画像メモリ１６への画像データの入出力制御を行う。例えば、画像読取部３０により読み取られた画像データの保存が指示されると、読取処理部１３から入力された画像データの圧縮処理を圧縮ＩＣ１４により実行させて、圧縮画像データを画像メモリ１６の圧縮メモリ１６ａに格納させる。また、圧縮メモリ１６ａに格納された圧縮画像データの印刷出力が指示されると、圧縮メモリ１６ａから圧縮画像データを読み出し、伸張ＩＣ１７により伸張処理を実行させてページメモリ１６ｂに格納させる。さらに、ページメモリ１６ｂに格納された非圧縮画像データの印刷が指示されると、ページメモリ１６ｂから非圧縮画像データを読み出して書込処理部１８に出力する。
【００３８】
画像メモリ１６は、ＤＲＡＭ（Ｄｙｎａｍｉｃ  ＲＡＭ）から構成される圧縮メモリ１６ａ、ページメモリ１６ｂを備える。圧縮メモリ１６ａは、圧縮画像データを格納するためのメモリであり、ページメモリ１６ｂは、印刷前に印刷対象の非圧縮画像データを一時的に格納するためのメモリである。
【００３９】
伸張ＩＣ１７は、入力される圧縮画像データに伸張処理を施す。
【００４０】
書込処理部１８は、ＤＲＡＭ制御ＩＣ１５から入力された印刷対象の画像データに基づいて、画像形成のための印刷用データを生成し、プリンタ部６０に出力する。
【００４１】
ＬＡＮＩＦ１９は、ネットワークインターフェイスカード（以下、ＮＩＣ；Ｎｅｔｗｏｒｋ  Ｉｎｔｅｒｆａｃｅ  Ｃａｒｄ）、モデム等のＬＡＮと接続するための通信インターフェイスであり、ＬＡＮ上のユーザ端末ＰＣから印刷対象の画像データ、テキストデータを受信する。
【００４２】
画像読取部２０は、ＣＣＤ（Ｃｈａｒｇｅ  Ｃｏｕｐｌｅｄ  Ｄｅｖｉｃｅ）２１、ＣＣＤ２１を駆動制御する読取制御部２２、その他図示しないＡＤＦ（自動紙送り機構）等から構成され、原稿台に載置された原稿面を露光走査した光の反射光をＣＣＤ２１により光電変換することにより原稿画像を読み取る。読み取られた原稿画像のアナログ画像信号は、制御本体部１０の読取処理部１３に出力される。
【００４３】
操作部３０は、ＬＣＤ３１、操作部制御部３２、その他図示しない操作キー群から構成される。ＬＣＤ３１上にはＬＣＤ３１を覆うようにタッチパネルが設けられており、操作部制御部３２は、画像制御部１１から入力される表示信号に従って、印刷条件を入力するための操作画面や各種処理結果等をＬＣＤ３１に表示させる。また、操作部制御部３２は、操作キー群又はタッチパネルから入力される操作信号を画像制御部１１に出力する。
【００４４】
プリンタ部４０は、画像形成部４１、画像制御部１１からの指示に従って画像形成部１４の画像形成動作を制御するプリンタ制御部４２から構成される。
画像形成部１４は、露光部、感光ドラム、現像部、定着部等を備えて構成され、プリンタ制御部４２からの印刷指示に従って、書込処理部１８から入力された印刷データに基づいて、露光部により感光ドラム表面に静電潜像を形成する。そして、現像部によりトナーを付着させて感光ドラム表面にトナー像を形成し、このトナー像を給紙ユニット５０から給紙された印刷用紙に転写して定着部により定着後、断裁装置Ｃに出力する。本実施の形態では、電子写真方式を適用した例を説明するが、これに限らず、インクジェット方式、熱昇華方式等、他のプリント方式を適用することとしてもよい。
【００４５】
次に、プリントコントローラ１ｂの各部について説明する。
プリントコントローラ１ｂは、画像形成装置１０をネットワークプリンタとして使用する場合に、ＬＡＮに接続されるユーザ端末ＰＣから画像形成装置１に入力されるプリントジョブの管理及び制御を行うものであり、ユーザ端末ＰＣから印刷対象の出力データ（テキストデータ、画像データ含む）を受信し、画像形成装置１の動作状態に応じて当該出力データをプリントジョブとして割り振る機能を有する。
【００４６】
プリントコントローラ１ｂは、図２に示すように、コントローラ制御部６１、ＬＡＮＩ／Ｆ６２、ＤＲＡＭ制御ＩＣ６３、画像メモリ６４から構成される。
【００４７】
コントローラ制御部６１は、プリントコントローラ１ｂの各部の動作を統括的に制御し、ＬＡＮを介してユーザ端末ＰＣから入力される出力データを画像形成装置１の動作状態に応じてプリントジョブとして配信する機能を実現する。
【００４８】
ＬＡＮＩＦ６２は、ＮＩＣやモデム等のＬＡＮと接続するための通信インターフェイスであり、ユーザ端末ＰＣからＬＡＮを介して印刷対象の出力データを受信する。受信された出力データは、ＤＲＡＭ制御ＩＣ６３に出力される。
【００４９】
ＤＲＡＭ制御ＩＣ６３は、ＬＡＮＩＦ６２により受信された出力データの画像メモリ６４への格納や、画像メモリ６４からの出力データの読み出しを制御する。また、ＤＲＡＭ制御ＩＣ６３は、制御本体部１ａのＤＲＡＭ制御ＩＣ１５とＰＣＩバスで接続されており、コントローラ制御部６１からの指示に従って、印刷対象の出力データを画像メモリ６４から読み出してＤＲＡＭ制御ＩＣ１５に出力する。
【００５０】
画像メモリ６４は、ＤＲＡＭから構成され、入力された出力データを一時的に格納する。
【００５１】
断裁装置Ｃは、スタッカーＳにストックされた印刷用紙束に後処理を施すものである。特に断裁装置Ｃは、２リピート機能により製本を行う際には印刷ページ束に対して各原稿画像の画像間で断裁処理を施し、断裁分離された各印刷ページ束に対して画像形成装置１から指示された綴じ位置で綴じ処理を施す。また、２ｉｎ１機能により製本を行う際には印刷ページ束に対して各原稿画像の画像間で断裁処理を施し、断裁分離された各印刷ページ束を重ね合わせた後、重ね合わせられた印刷ページ束に対し、画像形成装置１から指示された綴じ位置で綴じ処理を施す。
【００５２】
次に、第１の実施の形態における動作を説明する。
第１の実施の形態では、印刷条件として２リピート機能が選択された場合に、ユーザにより選択された配置方向、綴じ位置に応じて、製本後の見開き側が断裁部と一致するように２つの同一の原稿画像を１枚の印刷用紙に配置した印刷データを作成する例を説明する。
【００５３】
画像形成装置１では、印刷時に、図３（ａ）に示す操作画面３１１がＬＣＤ３１に表示される。この操作画面３１１において応用設定アイコンａ１が押下されると、設定可能な応用機能が一覧表示された応用機能リスト（図示せず）が表示され、各応用機能の中から複数ページ分の原稿画像を１枚の印刷用紙に面付けする集約機能が選択されると、図３（ｂ）に示す設定画面３１２がＬＣＤ３１に表示される。
【００５４】
図３（ｂ）に示す設定画面３１２では、集約機能として、２つの同一の原稿画像を１枚の印刷用紙に配置する２リピート機能と、２つの異なる原稿画像を１枚の印刷用紙に配置する２ｉｎ１機能とを選択することができ、２ｉｎ１機能では冊子が製本された際のページ順と原稿ページ順とが一致するように原稿画像が配置される製本用２ｉｎ１機能と、従来のように原稿ページ順に順次原稿画像が印刷用紙に配置される通常２ｉｎ１機能とが選択可能にアイコン表示される。また、配置方向として、左右同一、左右反転、上下同一、上下反転が選択可能にアイコン表示され、綴じ位置として、左綴じ、右綴じ、上綴じ、下綴じが選択可能にアイコン表示されている。
【００５５】
なお、配置方向には、左右反転、左右同一、上下反転、上下同一があるが、「左右」は２ページ分の原稿画像を印刷用紙の左右の面にそれぞれ配置することを示し、「上下」は２ページ分の原稿画像を印刷用紙の上下の面にそれぞれ配置することを示す。また、「反転」は印刷用紙の一方の面と他方の面に配置した各原稿画像の配置方向が１８０度逆に配置されることを示し、「同一」は印刷用紙の一方の面と他方の面に配置した各原稿画像の配置方向が同一となるように配置されることを示す。
【００５６】
また、綴じ位置には、左綴じ、右綴じ、上綴じ、下綴じがあるが、左綴じは原稿画像に対して左側を綴じ処理し、右綴じは原稿画像に対して右側を綴じ処理し、上綴じは原稿画像に対して上側を綴じ処理し、下綴じは原稿画像に対して下側を綴じ処理することを示す。
【００５７】
ユーザは、設定画面３１２において所望の集約機能をアイコンｂ１〜ｂ３により選択し、同様に所望の配置方向、綴じ位置をアイコンｂ４〜ｂ１１により選択する。
【００５８】
第１の実施の形態では、設定画面３１２において、２リピートアイコンｂ１が押下され、図４に示す２リピート印刷処理が開始されたとして説明を行う。
図４は、画像形成装置１により実行される２リピート印刷処理を説明するフローチャートである。なお、以下の説明において、配置する原稿ページをＡ、総原稿ページ数をＮ、２リピート機能により印刷された印刷ページをＰで示すこととする。また、２リピート機能により印刷された印刷物を製本する際には各原稿画像の画像間で断裁処理され、断裁分離された各印刷ページ束に対して指定された綴じ位置で綴じ処理が行われることとする。
【００５９】
図４に示す２リピート印刷処理では、まず印刷対象の原稿ページＡの値が１にセットされる（ステップＳ１）。次いで、配置方向は上下と左右のどちらが選択されたかが判別される（ステップＳ２）。設定画面３１２（図４（ａ）参照）で配置方向として左右同一又は左右反転が選択された場合は（ステップＳ２；左右）、ステップＳ３の処理へ移行し、上下同一又は上下反転が選択された場合は（ステップＳ２；上下）、図６のステップＳ２１に移行する。
【００６０】
まず、配置方向として左右方向が選択された場合について説明する。
ステップＳ３では、配置方向は反転と同一のどちらが選択されたかが判別される。配置方向として左右同一が選択された場合は（ステップＳ３；同一）、画像制御部１１により、印刷用紙の左面に０度回転のＡページ目の原稿画像を、右面に同じく０度回転のＡページ目の原稿画像を配置した印刷データが作成される（ステップＳ４）。印刷データが作成されると、後述するステップＳ８の処理へ移行する。
【００６１】
一方、配置方向として左右反転が選択された場合（ステップＳ３；反転）、設定画面３１２において綴じ位置は左綴じと右綴じのどちらが選択されたが判別される（ステップＳ５）。綴じ位置として左綴じが選択された場合（ステップＳ５；左綴じ）、印刷用紙の左面に０度回転のＡページ目の原稿画像を、右面に１８０度回転したＡページ目の原稿画像を配置した印刷データが作成される（ステップＳ６）。すなわち、綴じ位置と断裁位置とが原稿画像を挟んで対向するように各原稿画像が回転配置される。印刷データが作成されると、ステップＳ８の処理へ移行する。
【００６２】
また、綴じ位置として右綴じが選択された場合（ステップＳ５；右綴じ）、印刷用紙の左面に１８０度回転したＡページ目の原稿画像を、右面に０度回転のＡページ目の原稿画像を配置した印刷データが作成される（ステップＳ７）。すなわち、綴じ位置と断裁位置とが対向するように各原稿画像が回転配置される。印刷データが作成されると、ステップＳ８の処理へ移行する。
【００６３】
ステップＳ８では、画像制御部１１により作成された印刷データの印刷出力がプリンタ部４０において行われる。印刷出力された印刷物がスタッカーＳに出力されると、ステップＳ９では、面付けする次の原稿ページの有無が判別される。次の原稿ページが有る場合は（ステップＳ９；Ｙ）、原稿ページＡの値が１だけインクリメントされて（ステップＳ１０）、ステップＳ２に戻り、次の原稿ページＡについて原稿画像の面付けが行われる。一方、全ての原稿画像の面付けが終了し、次の原稿ページが無いと判別された場合は（ステップＳ９；Ｎ）、２リピート印刷処理を終了する。
【００６４】
全ての原稿画像が二面付けされ、その印刷物がスタッカーＳにストックされると、断裁装置Ｃにおいて各原稿画像の画像間で印刷用紙束の断裁処理が行われ、断裁された左半分の印刷ページ束、右半分の印刷ページ束のそれぞれについて指定された綴じ位置で綴じ処理がなされて同一画像構成の冊子が２冊製本される。
【００６５】
例えば、図５に示すように３ページの原稿画像群について左右反転、左綴じが選択された場合、印刷用紙の左の面には０度回転の原稿画像が印刷され、右の面には１８０度回転の原稿画像が印刷される。そして、画像間で断裁され、断裁分離された印刷ページ束に対して各原稿画像の左側が綴じ処理されて製本されると、左ページ束の断裁部、右ページ束の断裁部がともに見開き側の端部となった２冊の同一画像構成の冊子ができあがる。
【００６６】
次に、ステップＳ２において、配置方向として上下が選択された場合について図６のステップＳ２１から説明する。
図６に示すステップＳ２１では、配置方向として反転と同一のどちらが選択されたかが判別される。設定画面３１２において上下同一が選択された場合（ステップＳ２１；同一）、画像制御部１１により、印刷用紙の上面に０度回転のＡページ目の原稿画像を配置し、下面に同じく０度回転のＡページ目の原稿画像を配置した印刷データが作成される（ステップＳ２２）。印刷データが作成されると、後述するステップＳ２６の処理に移行する。
【００６７】
一方、設定画面３１２で配置方向として上下反転が選択された場合（ステップＳ２１；反転）、綴じ位置は上綴じと下綴じのどちらが選択されたかが判別される（ステップＳ２３）。上綴じが選択された場合は（ステップＳ２３；上綴じ）、画像制御部１１により、印刷用紙の上面に０度回転のＡページ目の原稿画像を配置し、下面に１８０度回転のＡページ目の原稿画像を配置した印刷データが作成される（ステップＳ２４）。すなわち、綴じ位置と断裁位置とが原稿画像を挟んで対向するように各原稿画像が回転配置される。印刷データが作成されると、ステップＳ２６の処理に移行する。
【００６８】
一方、下綴じが選択された場合は（ステップＳ２３；下綴じ）、印刷用紙の上面に１８０度回転のＡページ目の原稿画像を配置し、下面に０度回転のＡページ目の原稿画像を配置した印刷データが作成される（ステップＳ２５）。すなわち、綴じ位置と断裁位置とが原稿画像を挟んで対向するように各原稿画像が回転配置される。印刷データが作成されると、ステップＳ２６の処理に移行する。
【００６９】
ステップＳ２６では、画像制御部１１により作成された印刷データに基づいて、プリンタ部４０により印刷出力が行われる（ステップＳ２６）。印刷出力された印刷物がスタッカーＳに出力されると、ステップＳ２７では、次の原稿ページの有無が判別される。次の原稿ページが有る場合は（ステップＳ２７；Ｙ）、原稿ページＡの値が１だけインクリメントされて（ステップＳ２８）、ステップＳ２１に戻り、次の原稿ページＡについて原稿画像の面付けが行われる。一方、全ての原稿画像の面付けが終了し、次の原稿ページが無いと判別された場合は（ステップＳ２７；Ｎ）、２リピート印刷処理を終了する。
【００７０】
全ての原稿画像が二面付けされ、その印刷物がスタッカーＳにストックされると、断裁装置Ｃにおいて各原稿画像の画像間で印刷用束が断裁処理され、断裁分離された上半分の印刷ページ束、下半分の印刷ページ束のそれぞれについて指定された綴じ位置で綴じ処理がなされて同一画像構成の冊子が２冊製本される。
【００７１】
例えば、図７に示すように３ページの原稿画像群について上下反転、上綴じが選択された場合、印刷用紙の上の面には０度回転の原稿画像が印刷され、下の面には１８０度回転された原稿画像が印刷される。そして、画像間で断裁され、各原稿画像の上側で綴じ処理されて製本されると、上ページ束の断裁部、下ページ束の断裁部がともに見開き側の端部となった２冊の冊子ができあがる。
【００７２】
以上のように、２つの同一内容の原稿画像を同一の印刷用紙に印刷し、その後画像間で断裁して製本を行う場合、ユーザにより指定された綴じ位置に応じて断裁部と製本後の見開き側の端部が一致するように、つまり綴じ位置と断裁位置とが原稿画像を挟んで対向するように原稿画像が配置された印刷データが作成されるので、２リピート機能を利用して製本を行う場合でも、製本後の見開き側の端部が整然とそろった見栄えの良い冊子を作成することが可能となる。
【００７３】
〈第２の実施の形態〉
第２の実施の形態では、内容が異なる２つの原稿画像を同一の印刷用紙に面付けする２ｉｎ１機能を利用して１冊の冊子を製本する際に、ユーザにより指定された綴じ位置に応じて、製本後のページ順が原稿ページ順と一致するように、また断裁部が製本後の見開き側の端部と一致するように原稿画像を配置した印刷データを作成する例を説明する。
【００７４】
まず、第２の実施の形態における画像形成装置の構成について説明するが、第２の実施の形態における画像形成装置は、第１の実施の形態における画像形成装置１と同一の構成であるので、同一の符号を付して異なる機能部分についてのみ説明を行う。すなわち、第２の実施の形態における画像形成装置１は、図２に示すように本体部１ａ、プリントコントローラ１ｂを備えて構成され、図１に示すように給紙ユニット５０、スタッカーＳ、断裁装置Ｃが接続されている。
【００７５】
第２の実施の形態において、画像制御部１１は、２ｉｎ１印刷処理プログラムを不揮発性メモリ１２から読み出し、このプログラムとの協働により処理動作を統括的に制御し、操作部３０を介してユーザにより指定された配置方向及び綴じ位置に応じて原稿画像の面付けを行う。面付けする原稿総ページ数Ｎが偶数である場合は、印刷用紙の左面にＡページ目の原稿画像を配置し、右面に（Ｎ／２＋Ａ）ページ目の原稿画像を配置した印刷データを作成する。一方、原稿総ページ数Ｎが奇数である場合は、印刷用紙の左面にＡページ目の原稿画像を配置し、右面に｛（Ｎ＋１）／２＋Ａ｝ページ目の原稿画像を配置した印刷データを作成する。
【００７６】
また、画像制御部１１は、操作部３０を介してユーザにより指定された配置方向及び綴じ位置に応じて、製本後の見開き側の端部が断裁部となるように原稿画像を配置した印刷データを作成する。
【００７７】
具体的には、配置された２つの原稿画像の画像間で断裁されるので、配置方向として左右反転、綴じ位置として左綴じが指定された場合には断裁位置が各原稿画像の右側となるように印刷用紙の左面に正位置の原稿画像を配置し、印刷用紙の右面には１８０度回転した逆位置の原稿画像を配置する。また、左右反転、右綴じが指定された場合には断裁位置が各原稿画像の左側となるように、印刷用紙の左面に１８０度回転した逆位置の原稿画像を配置し、印刷用紙の右面には正位置の原稿画像を配置する。また上下反転、上綴じが指定された場合には断裁位置が各原稿画像の下側となるように、印刷用紙の上面に正位置の原稿画像を配置し、印刷用紙の下面には１８０度回転した逆位置の原稿画像を配置し、上下反転、下綴じが指定された場合には断裁位置が各原稿画像の上側となるように、印刷用紙の上面に１８０度回転した逆位置の原稿画像を配置し、印刷用紙の下面には正位置の原稿画像を配置する。
【００７８】
不揮発性メモリ１２は、２ｉｎ１印刷処理プログラムを格納する。
【００７９】
次に、第２の実施の形態における動作を説明する。
第２の実施の形態では、２つの異なる内容の原稿画像を同一の印刷用紙に面付けする２ｉｎ１機能が選択された場合に、ユーザにより指定された配置方向、綴じ位置に応じて、製本後のページ順が原稿ページ順と一致するように、かつ断裁部が製本後の見開き側の端部と一致するように、断裁位置と綴じ位置とが原稿画像を挟んで対向するように原稿画像を配置した印刷データを作成する例を説明する。
【００８０】
画像形成装置１では、印刷時に、図３（ａ）に示す操作画面３１１がＬＣＤ３１に表示される。この操作画面３１１において応用設定アイコンａ１が押下されると、設定可能な応用機能が一覧表示された応用機能リスト（図示せず）が表示され、各応用機能の中から１枚の印刷用紙に複数ページ分の原稿画像が面付けされる集約機能が選択されると、図３（ｂ）に示す設定画面３１２がＬＣＤ３１に表示される。
【００８１】
図３（ｂ）に示す設定画面３１２では、集約機能として、２つの同一の原稿画像を１枚の印刷用紙に配置する２リピート機能と、２つの異なる原稿画像を１枚の印刷用紙に配置する２ｉｎ１機能とを選択することができ、２ｉｎ１機能では冊子を製本された際のページ順と原稿ページ順とが一致するように原稿画像が配置される製本用２ｉｎ１機能と、従来のように原稿ページ順に順次印刷用紙に原稿画像が配置される通常２ｉｎ１機能とが選択可能にアイコン表示される。
【００８２】
また、配置方向として、左右同一、左右反転、上下同一、上下反転が選択可能にアイコン表示され、綴じ位置として、左綴じ、右綴じ、上綴じ、下綴じが選択可能にアイコン表示されている。ユーザは、設定画面３１２において所望の集約機能をアイコンｂ１〜ｂ３により選択し、同様に所望の配置方向をアイコンｂ４〜ｂ７により、綴じ位置をアイコンｂ８〜ｂ１１により選択する。
【００８３】
第２の実施の形態では、設定画面３１２において、製本用２ｉｎ１アイコンｂ２が押下され、図８に示す２ｉｎ１印刷処理が開始されたこととする。なお、以下の説明において、原稿ページをＡ、総原稿ページ数をＮ、印刷ページをＰで示すこととする。また、製本用２ｉｎ１機能により印刷された印刷物を製本する際には各原稿画像の画像間が断裁され、断裁された一方の面の印刷ページ束と他方の面の印刷ページ束が重ねられた印刷ページ束に対して指定された綴じ位置で綴じ処理が行われることとする。
【００８４】
図８に示す２ｉｎ１印刷処理では、まず印刷する総原稿ページ数Ｎが検知され（ステップＳ１０１）、総原稿ページ数Ｎは、偶数か奇数かが判別される（ステップＳ１０２）。
【００８５】
総原稿ページ数Ｎが偶数の場合（ステップＳ１０２；偶数）、原稿画像を２面付けする際に、一方の面にはＡページ目の原稿画像を配置し、他方の面には（Ｎ／２＋Ａ）＝Ｂで算出されるＢページ目の原稿画像を配置する面付けを行うことが決定される（ステップＳ１０３）。一方、総原稿ページ数Ｎが奇数の場合（ステップＳ１０２；奇数）、原稿画像を２面付けする際に、一方の面にはＡページ目の原稿画像を配置し、他方の面には｛（Ｎ＋１）／２＋Ａ｝＝Ｂで算出されるＢページ目の原稿画像を配置する面付けを行うことが決定される（ステップＳ１０４）。
【００８６】
面付け方法が決定されると、ステップＳ１０５では原稿ページＡの値に１がセットされ、次いで設定画面３２１において選択された配置方向は、左右と上下のどちらであるかが判別される（ステップＳ１０６）。設定画面３２１において左右同一又は左右反転が選択された場合は（ステップＳ１０６；左右）、ステップＳ１０７の処理に移行し、上下同一又は上下反転が選択された場合は（ステップＳ１０６；上下）、後述する図１０のステップＳ２０１に移行する。
【００８７】
まず、配置方向として左右方向が選択された場合について説明する。
ステップＳ１０７では、配置方向は反転と同一のどちらが選択されたかが判別される。配置方向として左右同一が選択された場合は（ステップＳ１０７；同一）、画像制御部１１により、印刷用紙の左半分の面に０度回転のＡページ目の原稿画像を、右半分の面に０度回転のＢページ目の原稿画像を配置した印刷データが作成される（ステップＳ１０８）。印刷データが作成されると、後述するステップＳ１１２の処理へ移行する。
【００８８】
一方、配置方向として左右反転が選択された場合（ステップＳ１０７；反転）、設定画面３１２において綴じ位置は左綴じと右綴じのどちらが選択されたが判別される（ステップＳ１０９）。綴じ位置として左綴じが選択された場合（ステップＳ１０９；左綴じ）、印刷用紙の左半分の面に０度回転のＡページ目の原稿画像を、右半分の面に１８０度回転したＢページ目の原稿画像を配置した印刷データが作成される（ステップＳ１１０）。すなわち、綴じ位置と断裁位置とが原稿画像を挟んで対向するように各原稿画像が回転配置される。ステップＳ１１２の処理へ移行する。
【００８９】
また、綴じ位置として右綴じが選択された場合（ステップＳ１０９；右綴じ）、印刷用紙の左半分の面に１８０度回転したＡページ目の原稿画像を、右半分の面に０度回転のＢページ目の原稿画像を配置した印刷データが作成される（ステップＳ１１１）。すなわち、綴じ位置と断裁位置とが原稿画像を挟んで対向するように各原稿画像が回転配置される。印刷データが作成されると、ステップＳ１１２の処理へ移行する。
【００９０】
ステップＳ１１２では、画像制御部１１により作成された印刷データの印刷出力がプリンタ部４０において行われる。印刷出力された印刷物がスタッカーＳに出力されると、ステップＳ１１３では、次の原稿ページの有無が判別される。次の原稿ページが有る場合は（ステップＳ１１３；Ｙ）、原稿ページＡの値が１だけインクリメントされて（ステップＳ１１４）、ステップＳ１０６に戻り、次の印刷ページＡについて原稿画像の面付けが行われる。一方、全ての原稿画像の面付けが終了し、次の原稿ページが無いと判別された場合は（ステップＳ１１３；Ｎ）、２ｉｎ１印刷処理を終了する。
【００９１】
全ての原稿画像が二面付けされ、その印刷物がスタッカーＳにストックされると、断裁装置Ｃにおいて各原稿画像の画像間で印刷用紙束が断裁処理され、断裁分離された左半分の印刷ページ束の下に、右半分の印刷ページ束が重ねられて指定された綴じ位置で綴じ処理がなされ、１冊の冊子が製本される。なお、左右の印刷ページ束を重ね合わせる際には、各印刷ページ束の画像の配置方向が一致するようにして重ね合わせることとする。例えば、左ページ束の原稿画像が正位置で右ページ束の原稿画像が逆位置である場合には、左ページ束を１８０度回転させて右ページ束の下に重ねる。
【００９２】
製本の具体例について図９を参照して説明する。
図９に示すように、１０ページの原稿画像群について左右反転、左綴じが選択された場合、印刷用紙の左面には０度回転のＡページ目の原稿画像が印刷され、右面には１８０度回転されたＢ（Ｂ＝Ｎ／２＋Ａ）ページ目の原稿画像が印刷される。原稿画像が９ページと、奇数の場合は、左の面にはＡページ目、右の面にはＢ（Ｂ＝（Ｎ＋１）／２＋Ａ）ページ目の原稿画像が面付けされる。そして、画像間の断裁位置で左右に断裁され、右ページ束が１８０度回転されて左ページ束の下に重ね合わせられ、原稿画像の左側で綴じ処理されて製本されると、断裁部が見開き側となった１冊の冊子ができあがる。なお、総原稿ページ数Ｎが奇数の場合は最終ページが白紙となるが、この最終ページもともに綴じることとしてもよいし、削除することとしてもよい。
【００９３】
次に、ステップＳ１０６において、配置方向として上下が選択された場合について図１０のステップＳ２０１から説明する。
図１０に示すステップＳ２０１では、配置方向として反転と同一のどちらが選択されたかが判別される。設定画面３１２において上下同一が選択された場合（ステップＳ２１；同一）、画像制御部１１により、印刷用紙の上面に０度回転のＡページ目の原稿画像を配置し、下面に同じく０度回転のＢページ目の原稿画像を配置した印刷データが作成される（ステップＳ２０２）。印刷データが作成されると、後述するステップＳ２０６の処理に移行する。
【００９４】
一方、設定画面３１２で配置方向として上下反転が選択された場合（ステップＳ２０１；反転）、綴じ位置は上綴じと下綴じのどちらが選択されたかが判別される（ステップＳ２０３）。上綴じが選択された場合は（ステップＳ２０３；上綴じ）、画像制御部１１により、印刷用紙の上面に０度回転のＡページ目の原稿画像を配置し、下面に１８０度回転のＢページ目の原稿画像を配置した印刷データが作成される（ステップＳ２０４）。すなわち、綴じ位置と断裁位置とが原稿画像を挟んで対向するように各原稿画像が回転配置される。印刷データが作成されると、ステップＳ２０６の処理に移行する。
【００９５】
一方、下綴じが選択された場合は（ステップＳ２０３；下綴じ）、印刷用紙の上面に１８０度回転のＡページ目の原稿画像を配置し、下面に０度回転のＢページ目の原稿画像を配置した印刷データが作成される（ステップＳ２０５）。すなわち、綴じ位置と断裁位置とが原稿画像を挟んで対向するように各原稿画像が回転配置される。印刷データが作成されると、ステップＳ２０６の処理に移行する。
【００９６】
ステップＳ２０６では、画像制御部１１により作成された印刷データに基づいて、プリンタ部４０により印刷出力が行われる（ステップＳ２０６）。印刷出力された印刷物がスタッカーＳに出力されると、ステップＳ２０７では、次の原稿ページの有無が判別される。次の原稿ページが有る場合は（ステップＳ２０７；Ｙ）、原稿ページＡの値が１だけインクリメントされて（ステップＳ２０８）、ステップＳ２０１に戻り、次の印刷ページについて原稿画像の面付けが行われる。一方、全ての原稿画像の面付けが終了し、次の原稿ページが無いと判別された場合は（ステップＳ２０７；Ｎ）、２ｉｎ１印刷処理を終了する。
【００９７】
全ての原稿画像が二面付けされ、その印刷物がスタッカーＳにストックされると、断裁装置Ｃにおいて各原稿画像の画像間で印刷用紙束が断裁され、断裁分離された上半分の印刷ページ束の下に、下半分の印刷ページ束が重ね合わせられて綴じ処理され、１冊の冊子が製本される。なお、上下の印刷ページ束を重ね合わせる際には、各印刷ページ束の画像の配置方向が一致するようにして重ね合わせることとする。例えば、上ページ束の原稿画像が正位置で下ページ束の原稿画像が逆位置である場合には、下ページ束を１８０度回転させて上ページ束の下に重ねる。
【００９８】
製本の具体例について図１１を参照して説明する。
図１１に示すように、１０ページの原稿画像について上下反転、上綴じが選択された場合、印刷用紙の上の面には０度回転のＡページ目の原稿画像が印刷され、下の面には１８０度回転されたＢ（Ｂ＝Ｎ／２＋Ａ）ページ目の原稿画像が印刷される。原稿画像が９ページと、奇数の場合は、上の面にはＡページ目、下の面にはＢ（Ｂ＝（Ｎ＋１）／２＋Ａ）ページ目の原稿画像が面付けされる。そして、中央で上下に断裁され、上ページ束の下に１８０度回転された下ページ束が重ねられ、原稿画像の上側で綴じ処理されて製本されると、断裁部が見開き側の端部となった１冊の冊子ができあがる。なお、総原稿ページ数Ｎが奇数の場合は最終ページが白紙となるが、この最終ページもともに綴じることとしてもよいし、削除することとしてもよい。
【００９９】
以上のように、２つの異なる内容の原稿画像を同一の印刷用紙に印刷し、その後画像間で断裁して、断裁分離された各印刷ページ束を重ね合わせて１冊の冊子を製本する場合、総原稿ページ数Ｎが偶数であれば、印刷用紙の一方の面にＡページ目が配置され、他方の面には（Ｎ／２＋Ａ）ページ目が配置された印刷データが作成され、総原稿ページ数Ｎが奇数であれば、印刷用紙の一方の面にＡページ目が配置され、他方の面には｛（Ｎ＋１）／２＋Ａ｝ページ目が配置された印刷データが作成されるので、製本後のページ順が原稿ページ順と一致した冊子を製本することができる。従って、２リピート機能を利用して製本を行う場合でも、見栄えの良い冊子を作成することが可能となる。
【０１００】
また、ユーザにより指定された綴じ位置に応じて、断裁部と製本後の見開き側の端部が一致するように、すなわち綴じ位置と断裁位置とが原稿画像を挟んで対向するように各原稿画像が配置された印刷データが作成されるので、２リピート機能を利用して製本を行う場合でも、見開き側の端部が整然とそろった見栄えの良い冊子を作成することが可能となる。
【０１０１】
【発明の効果】
請求項１に記載の発明によれば、綴じ位置と断裁位置とが対向するように２つの同一内容の原稿画像が同一印刷用紙上に配置されるので、印刷後、画像間で断裁され、各原稿画像単位で綴じられて製本された際に、冊子の見開き側に断裁部が位置することとなり、見開き側の端部が整然とそろった見栄えの良い冊子を製本することが可能となる。
【０１０２】
請求項２に記載の発明によれば、２つの異なる内容の原稿画像を所定のページ順で同一印刷用紙上に配置するので、印刷後、各画像間で断裁し、断裁分離された各印刷ページ束を重ね合わせて１冊の冊子を製本した際に、原稿ページ順と製本後のページ順とが一致した冊子を製本することができる。
【０１０３】
請求項３に記載の発明によれば、綴じ位置と断裁位置とが対向するように２つの２つの原稿画像が同一印刷用紙上に配置されるので、製本された際に冊子の見開き側に断裁部が位置することとなり、見開き側の端部が整然とそろった見栄えの良い冊子を製本することが可能となる。
【０１０４】
請求項４に記載の発明によれば、原稿画像の左側が綴じ位置として指定された際に、原稿画像の右側が断裁部、つまり冊子の見開き側となるように各原稿画像を配置することができる。
【０１０５】
請求項５に記載の発明によれば、原稿画像の右側が綴じ位置として指定された際に、原稿画像の左側が断裁部、つまり冊子の見開き側となるように各原稿画像を配置することができる。
【０１０６】
請求項６に記載の発明によれば、原稿画像の上側が綴じ位置として指定された際に、原稿画像の下側が断裁部、つまり冊子の見開き側となるように各原稿画像を配置することができる。
【０１０７】
請求項７に記載の発明によれば、原稿画像の下側が綴じ位置として指定された際に、原稿画像の上側が断裁部、つまり冊子の見開き側となるように各原稿画像を配置することができる。
【図面の簡単な説明】
【図１】本発明を適用した第１の実施の形態における画像形成装置１の外観図である。
【図２】画像形成装置１の内部構成を示す図である。
【図３】印刷条件を設定する際に表示される操作画面の画面遷移図である。
【図４】第１の実施の形態において、画像形成装置１により実行される２リピート印刷処理を説明するフローチャートである。
【図５】２リピート印刷処理において、左右反転、左綴じが指定された際の原稿画像の面付けの過程を示す図である。
【図６】２リピート印刷処理を説明するフローチャートである。
【図７】２リピート処理において、上下反転、上綴じが指定された際の原稿画像の面付けの過程を示す図である。
【図８】第２の実施の形態において、画像形成装置１により実行される２ｉｎ１印刷処理を説明するフローチャートである。
【図９】２ｉｎ１印刷処理において、左右反転、左綴じが指定された際の原稿画像の面付けの過程を示す図である。
【図１０】２ｉｎ１印刷処理を説明するフローチャートである。
【図１１】２ｉｎ１処理において、上下反転、上綴じが指定された際の原稿画像の面付けの過程を示す図である。
【図１２】従来の２リピート機能を利用して製本が行われた場合の原稿画像の面付けの過程を示す図である。
【図１３】従来の２ｉｎ１機能を利用して製本が行われた場合の原稿画像の面付けの過程を示す図である。
【符号の説明】
１    画像形成装置
１ａ    本体部
１０    制御本体部
１１    画像制御部
１２    不揮発性メモリ
１３    読取処理部
１４    圧縮ＩＣ
１５    ＤＲＡＭ制御ＩＣ
１６    画像メモリ
１６ａ    圧縮メモリ
１６ｂ    ページメモリ
１７    伸張ＩＣ
１８    書込処理部
２０    画像読取部
２１    ＣＣＤ
２２    読取制御部
３０    操作部
３１    ＬＣＤ
３２    操作部制御部
４０    プリンタ部
４１    画像形成部
４２    プリンタ制御部
５０    給紙ユニット
１ｂ    プリントコントローラ
６１    コントローラ制御部
６２    ＬＡＮＩＦ
６３    ＤＲＡＭ制御ＩＣ
６４    画像メモリ
Ｓ    スタッカー
Ｃ    断裁装置
【図１】
2005020587.tif 000003
【図２】
2005020587.tif 000004
【図３】
2005020587.tif 000005
【図４】
2005020587.tif 000006
【図５】
2005020587.tif 000007
【図６】
2005020587.tif 000008
【図７】
2005020587.tif 000009
【図８】
2005020587.tif 000010
【図９】
2005020587.tif 000011
【図１０】
2005020587.tif 000012
【図１１】
2005020587.tif 000013
【図１２】
2005020587.tif 000014
【図１３】
2005020587.tif 000015